(57)【要約】【課題】通信品質を維持しつつ、無線回線ブランチを削除することができる移動通信端末装置のダイバーシティハンドオーバ方法及び移動通信端末装置を提供する。【解決手段】個別パイロット信号品質測定部２１は基地局から送信された電波の個別チャネル信号の品質を測定し、ブランチ削除判断部２４は測定した品質が低い電波を送信した基地局との間で確立された無線回線ブランチを選択して、削除する。【選択図】  図２
2005045316.tif 000002
【特許請求の範囲】
【請求項１】
通信中の複数の基地局から送信された電波を受信し、
その受信された電波の個別チャネル信号の品質を測定し、
その測定された品質が所定値より低い場合、その低い品質である基地局との通信を終了する
ことを特徴とする移動通信端末装置のダイバーシティハンドオーバ方法。
【請求項２】
各基地局の前記個別チャネル信号の品質は、前記個別チャネル信号の信号電力対干渉雑音電力比を前記複数の基地局の前記個別チャネル信号の信号電力対干渉雑音電力比の総和で除した値であることを特徴とする請求項１に記載の移動通信端末装置のダイバーシティハンドオーバ方法。
【請求項３】
前記受信された電波の個別チャネルに含まれる送信電力制御情報を累積し、
前記測定された品質が低く、かつ、前記累積された送信電力制御情報が送信電力の増加を示している場合、その基地局との通信を終了する
ことを特徴とする請求項１に記載の移動通信端末装置のダイバーシティハンドオーバ方法。
【請求項４】
前記送信電力制御情報は、増加と減少とのいずれか一方の指示であり、前記累積された送信電力制御情報は、所定時間内に行われた前記増加の指示の回数と前記減少の指示の回数との差であることを特徴とする請求項３に記載の移動通信端末装置のダイバーシティハンドオーバ方法。
【請求項５】
通信中の複数の基地局から送信された電波を受信し、
その受信された電波の個別チャネル信号の品質を測定し、
その受信された電波の個別チャネルに含まれる送信電力制御情報を累積し、
その受信された電波の共通パイロットチャネル信号の品質を測定し、
前記測定された個別チャネル信号の品質が第１の所定値より低く、かつ、前記累積された送信電力制御情報が送信電力の増加を指示し、かつ、前記測定された共通パイロットチャネル信号の品質が第２の所定値より低い場合、その基地局との通信を終了する
ことを特徴とする移動通信端末装置のダイバーシティハンドオーバ方法。
【請求項６】
前記通信中の複数の基地局から送信された電波を複数のフィンガを有する受信装置が受信し、
前記共通パイロットチャネル信号の品質は、前記複数のフィンガによって抽出された前記共通パイロットチャネル信号の相関値によって求められることを特徴とする請求項５に記載の移動通信端末装置のダイバーシティハンドオーバ方法。
【請求項７】
前記共通パイロットチャネル信号の品質は、前記共通パイロットチャネル信号の相関値の二乗値に前記受信された電波の個別チャネル信号の信号電力対干渉雑音電力比を乗じた積であることを特徴とする請求項６に記載の移動通信端末装置のダイバーシティハンドオーバ方法。
【請求項８】
通信中の複数の基地局から送信された電波を受信する手段と、
前記受信手段によって受信された電波の個別チャネル信号の品質を測定する手段と、
前記受信手段によって受信された電波の個別チャネルに含まれる送信電力制御情報を累積する手段と、
前記測定手段によって測定された個別チャネル信号の品質が所定値より低く、かつ、前記累積手段によって累積された送信電力制御情報が送信電力の増加を示している場合、その基地局との通信を終了するハンドオーバ制御手段とを有する
ことを特徴とする移動通信端末装置。
【請求項９】
通信中の複数の基地局から送信された電波を受信する手段と、
前記受信手段によって受信された電波の個別チャネル信号の品質を測定する第１の測定手段と、
前記受信手段によって受信された電波の個別チャネルに含まれる送信電力制御情報を累積する手段と、
前記受信手段によって受信された電波の共通パイロットチャネル信号の品質を測定する第２の測定手段と、
前記第１の測定手段によって測定された個別チャネル信号の品質が第１の所定値より低く、かつ、前記累積手段によって累積された送信電力制御情報が送信電力の増加を指示し、かつ、前記第２の測定手段によって測定された共通パイロットチャネル信号の品質が第２の所定値より低い場合、その基地局との通信を終了するハンドオーバ制御手段とを有する
ことを特徴とする移動通信端末装置。
【発明の詳細な説明】
【０００１】
【発明の属する技術分野】
本発明は、移動通信端末装置のダイバーシティハンドオーバ方法及び移動通信端末装置に係り、特にダイバーシティハンドオーバ時に通信品質への寄与が少ない無線回線ブランチを選択して削除する処理に関する。
【０００２】
【従来の技術】
セルラ方式の移動通信システムでは、移動通信サービスエリアをセルと呼ばれる小規模な領域に分割し、各セルに基地局を設置する。そして、移動局は、あるセルに在圏中では、そのセルに設置された基地局をアクティブな基地局（Ａｃｔｉｖｅ  Ｃｅｌｌ）として選択し、その基地局との間の無線回線ブランチを確立して通信する。
【０００３】
また、あるセルからそのセルに隣接するセルに移動する場合には、移動局は、ハンドオーバ処理を行なう。即ち、通信する基地局を、移動局が移動前に在圏していたセルに設置された基地局から移動局が移動後に在圏するセルに設置された基地局に切替えて、通信品質を維持する。
【０００４】
ＣＤＭＡ（Ｃｏｄｅ  Ｄｉｖｉｓｉｏｎ  Ｍｕｌｔｉｐｌｅ  Ａｃｃｅｓｓ）方式などでは、移動局は、通信中の基地局から送信された電波と、その基地局に隣接した基地局（Ｎｅｉｇｈｂｏｒｉｎｇ  Ｃｅｌｌｓ）から送信された電波とを受信する。そして、受信したそれぞれの電波の品質を測定する。
【０００５】
ここで、電波の品質は、全ての移動局に共通な信号を報知するための共通パイロットチャネルの共通パイロット信号の強度や、その信号の信号電力対干渉雑音電力比（Ｓｉｇｎａｌ  Ｉｎｔｅｒｆｅｒｅｎｃｅ  Ｒａｔｉｏ。以後、ＳＩＲと称する。）などを用いて測定する。なお、通信中の基地局と、通信中の基地局に隣接した基地局とを総称して、監視中の基地局（Ｍｏｎｉｔｏｒｅｄ  Ｃｅｌｌｓ）と称する。
【０００６】
そして、移動局は、通信中の基地局から送信された電波の品質よりも高い品質の電波を受信した場合には、その高い品質の電波を送信した基地局を新たな通信する基地局とする切替えを行なう。この切替えの際に、ＣＤＭＡ方式などでは、ダイバーシティハンドオーバ方式が用いられている。なお、ダイバーシティハンドオーバ方式は、ソフトハンドオーバ方式と呼ばれることもある。
【０００７】
ダイバーシティハンドオーバ方式においては、移動局は、通信中の基地局から送信された電波の品質よりも高い品質の電波を受信したら、その高い品質の電波を送信した基地局との間の無線回線ブランチを確立する。そして、その基地局を通信する基地局に追加し、既に通信していた基地局と同様に通信をする。
【０００８】
即ち、移動局は、送信情報を通信中の複数の基地局に送信し、受信情報は、通信中の複数の基地局から受信する。そして、複数の基地局と通信することによって、ハンドオーバ時の通信情報の欠落を防いでいる。煩雑を避けるため、基地局との間で送受信される電波の品質を、その基地局との間で確立された無線回線ブランチの品質と称する。
【０００９】
ところで、移動局が複数の無線回線ブランチを保持する、即ち、複数の基地局と同時に通信することは、その移動局が移動通信システムの無線回線リソースを多く用いることを意味する。移動局がリソースを多く用いることは、移動通信システムの効率の観点からは好ましくない。
【００１０】
そのため、移動局が一時に保持する無線回線ブランチの数は所定の最大ブランチ数以下とするように定められている。即ち、その移動局が同時に通信する基地局の数は、上記最大ブランチ数以下とする。
【００１１】
そこで、移動局は、保持する無線回線ブランチの数が所定の最大ブランチ数を超えたら、直ちに保持する無線回線ブランチの中の何本かのブランチを削除して、保持する無線回線ブランチの数を所定の最大ブランチ数以下とする。更に、通信品質を確保できる限り、保持する無線回線ブランチの数を最少化する、即ち、１本に近づける。
【００１２】
ここで、保持する無線回線ブランチを削除するにあたり、通信品質の低下を防ぐ必要がある。そのため、通信品質に寄与していない無線回線ブランチを選択して削除することが必要である。そこで、無線回線ブランチの上り方向（移動局から基地局へ）の品質と、そのブランチの下り方向（基地局から移動局へ）の品質とを総合的に判断することによって、削除する無線回線ブランチを選択する処理が知られている（例えば、特許文献１参照。）。
【００１３】
【特許文献１】
特開２０００−１９７０９２号公報（第２−４頁、図４）
【００１４】
【発明が解決しようとする課題】
しかしながら、移動局と基地局の間で情報を通信するために用いるチャネルは、共通パイロットチャネルではなく、その移動局とその基地局との間の通信専用に割当てられた個別チャネルである。そして、基地局が共通パイロットチャネルを送信する送信電力は一定であるが、個別チャネルを送信する送信電力は可変である。
【００１５】
また、基地局が個別チャネルを送信する送信電力は、移動局からの指示に基いて増減される。そして、移動局からの送信電力増減指示は、全ての通信中の基地局に対して同時に送られるので、通信中の基地局毎に個別チャネルを送信する送信電力が最適に制御されるとは限らない。
【００１６】
そこで、電波の品質を共通パイロットチャネルの信号を用いて測定した場合の善し悪しと、個別チャネルの信号を用いて測定した場合の品質の善し悪しとが一致しない場合がある。
【００１７】
そのため、共通パイロットチャネルの信号の測定結果を用いては、各無線回線ブランチが通信品質に寄与している程度を正確に把握することができない問題点があった。
【００１８】
本発明は、上記問題点を解決するためになされたもので、通信品質に寄与している程度の低い無線回線ブランチを選択して削除することができる移動通信端末装置のダイバーシティハンドオーバ方法及び移動通信端末装置を提供することを目的とする。
【００１９】
【課題を解決するための手段】
上記目的を達成するために、本発明の移動通信端末装置のダイバーシティハンドオーバ方法は、通信中の複数の基地局から送信された電波を受信し、その受信された電波の個別チャネル信号の品質を測定し、その測定された品質が所定値より低い場合、その低い品質である基地局との通信を終了することを特徴とする。
【００２０】
また、本発明の移動通信端末装置のダイバーシティハンドオーバ方法は、通信中の複数の基地局から送信された電波を受信し、その受信された電波の個別チャネル信号の品質を測定し、その受信された電波の個別チャネルに含まれる送信電力制御情報を累積し、その受信された電波の共通パイロットチャネル信号の品質を測定し、前記測定された個別チャネル信号の品質が第１の所定値より低く、かつ、前記累積された送信電力制御情報が送信電力の増加を指示し、かつ、前記測定された共通パイロットチャネル信号の品質が第２の所定値より低い場合、その基地局との通信を終了することを特徴とする。
【００２１】
本発明によれば、基地局から送信された電波の個別チャネル信号の品質を測定し、測定した品質が低い電波を送信した基地局を選択して通信を終了することによって、通信品質に寄与している程度の低い無線回線ブランチを選択して削除することができる。
【００２２】
【発明の実施の形態】
以下に、本発明による移動通信端末装置のダイバーシティハンドオーバ方法及び移動通信端末装置の実施の形態を、図面を参照して説明する。
【００２３】
図１は、本発明の実施形態に係る移動通信端末装置（移動局）の構成を示すブロック図である。この装置は、装置全体の制御を行なう制御部１１と、基地局（図示せず）との間で電波の送受信を行なうアンテナ１２ａと、通信部１２ｂと、送受信部１３と、スピーカ１４ａと、マイクロフォン１４ｂと、通話部１４ｃと、出力部１５と、入力部１６と、信号品質判定部１７とからなる。
【００２４】
図２は、信号品質判定部１７の構成を示すブロック図である。信号品質判定部１７は、送受信部１３と接続される個別パイロット信号品質測定部２１と、送受信部１３と接続される送信電力制御信号加算部２２と、送受信部１３、及び、制御部１１と接続される共通パイロット信号品質測定部２３と、制御部１１と接続されるブランチ削除判断部２４とからなる。
【００２５】
上記のように構成された、本発明の実施形態に係る移動通信端末装置の各部の動作を、図１を参照して説明する。
【００２６】
まず、通信部１２ｂは、アンテナ１２ａが受信した高周波信号を送受信部１３へ出力し、また、送受信部１３から出力される高周波信号をアンテナ１２ａより送信する。
【００２７】
送受信部１３は、通信部１２ｂからの高周波信号を増幅、周波数変換及び復調する。送受信部１３は、受信の際にレイク（ＲＡＫＥ）合成方式、即ち、受信電波からの高周波信号を電波が経由した伝搬経路毎に分離し、分離されたそれぞれの高周波信号を複数のフィンガが受信して、各フィンガによって抽出された信号を合成して出力する方式を用いる。送受信部１３は、上記復調して得られたデジタル音声信号を通話部１４ｃへ、また、制御信号を制御部１１に送る。
【００２８】
また、送受信部１３は、各フィンガによって抽出された個別チャネル信号の個別パイロット信号を個別パイロット信号品質測定部２１に送り、また、個別チャネル信号の送信電力制御信号（ＴＰＣ、Ｔｒａｎｓｍｉｔ  Ｐｏｗｅｒ  Ｃｏｎｔｒｏｌ  Ｃｏｍｍａｎｄ）を送信電力制御信号加算部２２に送り、更に、各フィンガによって抽出された共通パイロットチャネル信号の共通パイロット信号を共通パイロット信号品質測定部２３に送る。
【００２９】
更に、送受信部１３は、通話部１４ｃから出力されるデジタル音声信号、及び制御部１１から出力される制御信号を変調、周波数変換及び増幅し、高周波信号を得て、それを通信部１２ｂに送る。
【００３０】
その際、通信中の全ての基地局から送信された個別チャネル信号の送信電力制御信号が送信電力の増加を指示していれば、通信部１２ｂに指示して送信電力を増加して送信する。また、通信中の少なくとも１局の基地局から送信された個別チャネル信号の送信電力制御信号が送信電力の減少を指示していれば、通信部１２ｂに指示して送信電力を減少して送信する。
【００３１】
次に、通話部１４ｃは、送受信部１３から出力されるデジタル音声信号をアナログ音声信号に変換し、それを増幅してスピーカ１４ａに送る。また、マイクロフォン１４ｂから出力されるアナログ音声信号を増幅し、それをデジタル音声信号に変換して送受信部１３に送信する。
【００３２】
出力部１５は、例えばＬＣＤの表示装置であり、制御部１１より起動されることにより、表示動作を開始する。入力部１６からの入力操作に応答して制御部１１より起動されるまで、出力部１５には同じ内容が表示される。
【００３３】
入力部１６は、複数のキーからなり、制御部１１の起動により動作を開始し、利用者が入力操作したキー入力に応じて、そのキーを識別するコードを制御部１１へ通知して動作を終了する。
【００３４】
次に、信号品質判定部１７の動作（図１及び図２を参照）を説明する。個別パイロット信号品質測定部２１は、送受信部１３から出力される各フィンガによって抽出された個別チャネル信号中の個別パイロット信号を受信する。そして、受信した各個別パイロット信号のＳＩＲ値を算出する。
【００３５】
個別パイロット信号品質測定部２１は、更に、ブランチ毎にそのブランチの上記個別パイロット信号のＳＩＲ値の和を算出して、そのブランチのＳＩＲ値とする。また、全ブランチのＳＩＲ値の和を算出する。ブランチのＳＩＲ値は、そのブランチの通信品質への寄与を表す指標である。全ブランチのＳＩＲ値の和は、全ブランチの通信品質への寄与の合計を表す指標である。
【００３６】
次に、送信電力制御信号加算部２２は、送受信部１３から出力される個別チャネル信号中の送信電力制御信号を受信する。そして、ブランチ毎に現在と現在から過去に所定時間遡った時刻との間に受信した、そのブランチの個別チャネル信号中の送信電力制御信号の値の合計を計算する。
【００３７】
ここで、送信電力制御信号は、基地局が移動通信端末装置に対して行なう送信電力の増減の指示であって、この信号は「増加」か、「減少」のいずれか一方である。ここで、「増加」は、移動通信端末装置が送信する送信電力を増加する指示であり、「減少」は、移動通信端末装置が送信する送信電力を減少する指示である。
【００３８】
通信中のある基地局から送信電力制御信号が「増加」の指示が送信されることは、その基地局で受信した移動通信端末装置からの電波の品質が低いことを意味する。また、通信中のある基地局から送信電力制御信号が「減少」の指示が送信されることは、その基地局で受信した移動通信端末装置からの電波の品質が高いことを意味する。
【００３９】
そこで、上記所定の時間幅内に受信した送信電力制御信号の値をブランチ毎に合計することによって、各ブランチの上り方法の電波の品質を、瞬間的な品質変動を除いて、推定できる。なお、送信電力制御信号の合計を計算するため、その信号が「増加」であればその信号を「１」に変換し、「減少」であればその信号を「−１」に変換し、変換された値の合計を計算して送信電力制御信号の合計とする。
【００４０】
これによって、ある基地局から送信された送信電力制御信号の合計が大きい程、その基地局で受信した移動通信端末装置からの電波の品質が低く、また、その合計が小さい程、その基地局で受信した移動通信端末装置からの電波の品質が高いことを推定できる。
【００４１】
共通パイロット信号品質測定部２３は、送受信部１３から出力される各フィンガによって抽出された共通パイロットチャネル信号中の共通パイロット信号を受信する。そして、ブランチ毎にそのブランチの共通パイロット信号の相関値を算出して、そのブランチの共通パイロットチャネル相関値とする。この相関値は、共通パイロット信号が伝搬された複数の経路の状況を表し、伝搬経路の安定さを表す指標である。
【００４２】
なお、送受信部１３は、ブランチが確立されていない基地局、即ち、通信中でない監視中の基地局から送信された電波も受信する。そこで、共通パイロット信号品質測定部２３は、通信中でない基地局から送信された共通パイロットチャネル信号中の共通パイロット信号から、基地局毎に上記共通パイロットチャネル相関値を算出する。
【００４３】
次に、ブランチ削除判断部２４の動作を説明する。ブランチ削除判断部２４は、個別パイロット信号品質測定部２１から出力される各ブランチのＳＩＲ値と全ブランチのＳＩＲ値の和と、送信電力制御信号加算部２２から出力される送信電力制御信号のブランチ毎の合計と、共通パイロット信号品質測定部２３から出力されるブランチ毎の共通パイロットチャネル相関値とによって、削除するブランチを決定する装置である。図３は、ブランチ削除判断部２４の動作のフローチャートを示す。
【００４４】
ブランチ削除判断部２４は、所定の時間間隔で制御部１１から起動され、動作を開始する（ステップ２４ａ）。まず、保持するブランチの数、即ち、通信している基地局の数を調べ（ステップ２４ｂ）、保持するブランチの数が１であれば、削除するブランチはなく（ステップ２４ｃ）、直ちに終了する（ステップ２４ｄ）。
【００４５】
ステップ２４ｂで、保持するブランチの数が２以上であれば、ブランチ削除判断部２４は、保持する全ブランチについての処理が完了するまで（ステップ２４ｅ）、以下の処理によって、保持する各ブランチの削除の可否を調べる。即ち、まず、個別パイロット信号品質測定部２１から出力される処理しているブランチのＳＩＲ値と、全ブランチのＳＩＲ値の和を受信し、処理しているブランチのＳＩＲ値を全ブランチのＳＩＲ値の和で除した商を調べる（ステップ２４ｆ）。
【００４６】
その商が所定の閾値以上であれば、ブランチ削除判断部２４は、そのブランチの下り方向の通信品質への寄与は高いので、そのブランチは削除に適さないと判断する。そして、ステップ２４ｅに戻って全ブランチについての処理が完了したかを調べ、未完であれば（ステップ２４ｅの「未完」）、未処理のブランチについての処理を繰返し行なう。
【００４７】
ステップ２４ｆで、上記商が上記所定の閾値未満であれば、ブランチ削除判断部２４は、そのブランチは削除に適すと判断する。そして、続いて、送信電力制御信号加算部２２から出力される処理しているブランチの送信電力制御信号の合計を受信して、その合計を調べる（ステップ２４ｇ）。
【００４８】
その合計が所定の閾値以下であれば、ブランチ削除判断部２４は、そのブランチの上り方向の品質は高いと推定できるので削除に適さないと判断する。そして、ステップ２４ｅに戻って全ブランチについての処理が完了したかを調べ、未完であれば（ステップ２４ｅの「未完」）、未処理のブランチについての処理を繰返し行なう。
【００４９】
ステップ２４ｇで、上記合計が上記所定の閾値を越えるなら、ブランチ削除判断部２４は、そのブランチは削除に適すと判断する。そして、続いて、共通パイロット信号品質測定部２３から出力される処理しているブランチの共通パイロットチャネル相関値を受信し、そのブランチの共通パイロットチャネル相関値の二乗にそのブランチのＳＩＲ値を乗算した積を調べる（ステップ２４ｈ）。
【００５０】
そして、その積が所定の閾値以上であれば、ブランチ削除判断部２４は、そのブランチの下り方向は安定した高い品質であるので削除に適さないと判断する。そして、ステップ２４ｅに戻って全ブランチについての処理が完了したかを調べ、未完であれば（ステップ２４ｅの「未完」）、未処理のブランチについての処理を繰返し行なう。
【００５１】
ステップ２４ｈで、上記積が上記所定の閾値未満であれば、ブランチ削除判断部２４は、そのブランチは削除に適すと判断し、そのブランチは削除するブランチとする（ステップ２４ｉ）。そして、ステップ２４ｅに戻って、全ブランチについての処理が完了したかを調べ、未完であれば（ステップ２４ｅの「未完」）、未処理のブランチについての処理を繰返し行なう。
【００５２】
ステップ２４ｅで、全てのブランチについての処理が完了した場合には（ステップ２４ｅの「完了」）、ブランチ削除判断部２４は、次に、削除するブランチの数が保持するブランチの数と等しいか、即ち、保持する全ブランチが削除するブランチになっているか否かを調べる（ステップ２４ｊ）。
【００５３】
等しいなら、削除するブランチの中で品質が高いブランチを選び、そのブランチは削除するブランチではないと変更して（ステップ２４ｋ）、終了する（ステップ２４ｄ）。品質が高いブランチは、個別パイロット信号品質測定部２１から出力されるＳＩＲ値が大きいブランチであるが、これに限るものではない。
【００５４】
ステップ２４ｊで、削除するブランチの数が保持するブランチの数と等しくないなら、ステップ２４ｋの実行を省いて終了する（ステップ２４ｄ）。
【００５５】
なお、削除するブランチより削除しなければならないブランチが多い、即ち、ステップ２４ｊの段階で得られた削除するブランチの数より、保持するブランチの数から所定の最大ブランチ数を減じた値が大きいなら、更に多くのブランチを削除する必要がある。
【００５６】
その場合には、必要な数だけ品質が低いブランチを選んで削除するブランチとする。品質が低いブランチは、上記ＳＩＲ値が小さいブランチであるが、これに限るものではない。
【００５７】
以上の説明では、各ブランチの削除は、ステップ２４ｆ〜２４ｈで説明した３つの判断基準の全てが削除に適するとの判断を示した場合としたが、これに限るものではない。例えば、上記３つの判断基準の内の特定の１つ、または、２つ、もしくは、上記３つの判断基準の内の任意の１つ、または、２つが削除に適するとの判断を示した場合に削除するとしても良い。
【００５８】
また、上記３つの判断基準は、削除の適、または、不適を判断するとしたが、これに限るものではない。例えば、削除に適する度合いを実数値、または、整数値として評価しても良い。その場合には、評価された３つの実数値、または、整数値の演算を行ない、その演算結果に基いて各ブランチの削除の可否を判断する。
【００５９】
次に、上記のように構成された、本発明の実施形態に係る移動通信端末装置における制御部１１のブランチの確立及び削除、即ち、通信する基地局の追加及び削減の制御動作を説明する。
【００６０】
図４は、ブランチの確立及び削除を行なう際の、制御部１１の制御動作のフローチャートを示す。ブランチの確立及び削除の制御動作は、所定の時間間隔をおいて動作を開始する（ステップ１１ａ）。続いて、監視中の基地局から送信された電波を受信して、その品質を測定する（ステップ１１ｂ）。
【００６１】
ここで、受信した電波の品質は、共通パイロット信号品質測定部２３から出力される共通パイロットチャネル相関値によって測定するが、これに限るものではない。共通パイロットチャネルの共通パイロット信号のＳＩＲ値を算出し、そのＳＩＲ値によって測定しても良い。
【００６２】
次に、制御部１１は、通信中の基地局から送信された電波より品質が高い電波を受信したかを調べる（ステップ１１ｃ）。上記品質が高い電波を受信していれば、その電波を送信した基地局を通信する基地局に追加し、即ち、新たなブランチを確立する（ステップ１１ｄ）。続いて、ブランチ削除判断部２４を起動して、確立しているブランチの中で削除するブランチを決定する（ステップ１１ｅ）。
【００６３】
制御部１１は、ブランチ削除判断部２４が決定した削除するブランチの有無を調べ（ステップ１１ｆ）、削除するブランチがあれば、そのブランチを削除して（ステップ１１ｇ）、終了する（ステップ１１ｈ）。
【００６４】
以上の説明では、制御部１１は、保持するブランチの数が所定の最大ブランチ数を超えた後でブランチ削除判断部２４が決定したブランチを削除し、保持するブランチの数を所定の最大ブランチ数以下にするとした。しかし、ブランチの追加確立の前に、ブランチを確立しても保持するブランチの数が所定の最大ブランチ数を超えないことを確かめて、もし、それを超える場合には、保持するブランチの削減を行なった後でブランチを確立しても良い。
【００６５】
本実施形態では、削除するブランチの決定は、移動通信端末装置で行なうとしたが、監視中の基地局から送信された電波の品質の測定のみを移動通信端末装置が行ない、その他の処理は移動通信端末装置以外の装置が行なっても良い。本発明は以上の構成に限定されるものではなく、種々の変形が可能である。
【００６６】
【発明の効果】
以上述べたように、本発明によれば、ダイバーシティハンドオーバ時に通信品質に寄与している程度の低い無線回線ブランチを選択して削除することができる。そのため、ダイバーシティハンドオーバ時の通信品質の低下を防ぐことができる。
【図面の簡単な説明】
【図１】本発明の実施形態に係る移動通信端末装置の構成を示すブロック図。
【図２】本発明の実施形態に係る信号品質判定部の構成を示すブロック図。
【図３】本発明の実施形態に係るブランチ削除判断部の動作を示すフローチャート。
【図４】本発明の実施形態に係る制御部のブランチの確立及び削除の制御動作を示すフローチャート。
【符号の説明】
１１  制御部
１３  送受信部
１７  信号品質判定部
２１  個別パイロット信号品質測定部
２２  送信電力制御信号加算部
２３  共通パイロット信号品質測定部
２４  ブランチ削除判断部
【図１】
2005045316.tif 000003
【図２】
2005045316.tif 000004
【図３】
2005045316.tif 000005
【図４】
2005045316.tif 000006